(57)【特許請求の範囲】
【請求項１】
フロートの昇降により給水弁を開閉して、洗浄タンクへの給水及び給水停止を自動的に行うボールタップにおいて、
前記給水弁の下流部に、手洗水を手洗吐水部に向けて流出可能な手洗水の出口部を設けるとともに、該手洗水の出口部に、手洗水の流路の抵抗を増大させる抵抗部材として絞り弁が設けてあり、
該絞り弁は、それぞれ通水用の弁開口を備えた固定弁体と可動弁体とを有していて、該固定弁体に対する該可動弁体の回転により、該固定弁体の前記弁開口と該可動弁体の前記弁開口との重なり面積を大から小へと変化させることで前記流路の抵抗を増大させるものであることを特徴とするボールタップ。
【請求項２】
請求項１において、前記手洗水の出口部は、上下方向に回転可能な回転部を有していて、該回転部の先端側に手洗水の流出口を有しているとともに、該回転部の一部が前記可動弁体を成していることを特徴とするボールタップ。
【請求項３】
請求項２において、前記回転部を回転させることによって、前記手洗吐水部に手洗水を流出させる手洗有りと、該手洗吐水部に手洗水を流出させず直接前記タンク内に流出させる手洗無しとに切り替えるものとなしてあり、該手洗無しとしたときには前記重なり面積を小とし、手洗有りとしたときには該重なり面積を大とすることを特徴とするボールタップ。
【請求項４】
請求項２，３の何れかにおいて、前記回転部がエルボ管から成っていることを特徴とするボールタップ。
【請求項５】
フロートの昇降により給水弁を開閉して、洗浄タンクへの給水及び給水停止を自動的に行うボールタップにおいて、
前記給水弁の下流部に、手洗水を手洗吐水部に向けて流出可能な手洗水の出口部を設けるとともに、該手洗水の出口部に、手洗水の流路の抵抗を増大させる抵抗部材として絞り弁が設けてあり、
該絞り弁は、前記手洗吐水部に手洗水を流出させる手洗有りと、該手洗吐水部に手洗水を流出させず直接前記タンク内に流出させる手洗無しとで、前記出口部からの流量が同じとなるように開口面積を切り替え可能となしたことを特徴とするボールタップ。
【発明の詳細な説明】
【技術分野】
【０００１】
この発明は洗浄タンクへの給水及び給水停止を自動的に行うボールタップに関し、詳しくは手洗吐水部の有無に対応するための技術手段に特徴を有するものに関する。
【背景技術】
【０００２】
従来、便器洗浄用の装置として、フロートの昇降により給水弁を開閉して、洗浄タンクへの給水及び給水停止を自動的に行うボールタップが広く用いられている。
例えば下記特許文献１に、この種のボールタップが開示されている。
【０００３】
図１０はその具体例を示している。
図において、２００は洗浄タンク（以下単にタンクとする場合がある）で、アウタタンク２０２とインナタンク２０４との２重タンク構造をなしている。
アウタタンク２０２の上部には、その蓋を兼用した手洗鉢２０６が設けられており、この手洗鉢２０６に手洗吐水管（手洗吐水部）２０８が、手洗鉢２０６から起立する形態で設けられている。
手洗鉢２０６の底部には排水口２１０が設けられており、手洗吐水管２０８から吐水された手洗水が、この排水口２１０からタンク２００内部へと落下する。
【０００４】
２１２は、タンク壁に回転可能に設けられた洗浄ハンドルで、この洗浄ハンドル２１２から、Ｌ字状をなすレバーアーム２１４がタンク１０の内方に向って延び出している。
そしてその先端部とタンク底部の排水弁２１６とが、鎖２１８にて連結されている。
排水弁２１６は、洗浄ハンドル２１２の回転操作により鎖２１８にて引き上げられ開弁する。
そしてその開弁によって、タンク２００底部の排出口が開放され、タンク２００内の洗浄水がその排出口から便器に向けて勢い良く放出される。
【０００５】
２２０は、タンク２００内部に配設されたボールタップで、給水弁を内蔵したボールタップ本体２２２を有している。
ボールタップ２２０はまた、タンク２００内の水位に連動して昇降するフロート２２４と、フロート２２４及び上記の給水弁を連繋する連繋アーム２２６とを有しており、フロート２２４の下降により給水弁を開いてタンク内吐水口２２８からタンク２００内に給水を行い、またフロート２２４の上昇により給水弁を閉じて給水停止する。
【０００６】
ボールタップ２２０には、給水弁の下流部において、手洗水を手洗吐水管２０８に向けて流出させる手洗水の出口部２３０が上向きに設けられており、そこに手洗水を手洗吐水管２０８に導くための蛇腹管から成る導水管２３２の一端側が接続されている。
このボールタップ２２０では、給水弁が開くと下流部のタンク内吐水口２２８からタンク内に給水が行われるのと併せて、手洗吐水管２０８に手洗水が供給され、そこから手洗鉢２０６に向けて手洗水が吐水される。
【０００７】
図１０に示すタンク２００は、手洗吐水管２０８付きのものであるが、タンクによっては手洗吐水管２０８を有しないものもある。
手洗吐水管２０８を有しないものに対しては、手洗水の出口部２３０が上向きに設けられたボールタップ２２０では対応することができず、そのため従来にあっては、手洗吐水管２０８を有しないものに対しては手洗水の出口部２３０を設けていないボールタップにて対応していた。即ち手洗吐水管２０８の有無に対して、別々のボールタップを用いて対応していた。
しかしながらこの場合、ボールタップが２種類必要となってしまう。
【０００８】
この場合、手洗水の出口部を例えば斜め下向きとして、手洗吐水管２０８を有しない場合には、手洗水の出口部に導水管を接続しないで出口部をそのまま開放状態とし、タンク内への給水時にその出口部を第２のタンク内吐水口として、そこからタンク内に水を流出させる一方、手洗吐水管を有する場合には導水管をそこに接続して、出口部からの水を手洗吐水管へと導くようにし、以て同じボールタップにて手洗吐水管がある場合と無い場合とに対応できるようにするといったことが考えられる。
【０００９】
ところで、手洗水の出口部よりも下流側においてボールタップに補給水管を備えておき、その補給水管を通じて補給水を便器に向けて供給するといったことが従来から行われている。
この補給水は、便器洗浄時に便器内の溜水が排出された後、再び便器内に溜水を一定水位で溜めるために便器に向けて補給されるものであるが、上記のように手洗水の出口部に導水管を接続したり接続しなかったりすることで、手洗吐水管２０８の有無に対して同じボールタップで対応しようとしたとき、補給水の水量が異なってしまうといった困難な問題が生ずる。
【００１０】
手洗水の出口部に導水管を接続して、タンク内給水時に導水管を通じて手洗吐水管に手洗水を送り、そこから手洗水を吐水させるときには、手洗吐水管の吐水口に到る手洗水の流路に発生する大きな抵抗によって（手洗吐水管は手洗水の出口よりも上方にあり、出口部から手洗吐水管の吐水口に水を押し上げて送るには大きな抵抗が生ずる）、補給水管側に回り込む水の比率が大きくなり、便器への補給水量が多くなってしまう。
【００１１】
逆にタンクが手洗吐水管を備えておらず、手洗水の出口部に導水管を接続せずに、その出口部から直接タンク内に給水を行う場合には、出口部からの水の流出に対する抵抗が小さくなるために、補給水管の側に回り込む水の比率が小となり、便器に向けての補給水の水量が少なくなってしまう。
而して補給水の水量が少ないときには、便器の中に必要な水が十分に溜まらなくなってしまう。
【００１２】
これを防止するためには、常に必要量よりも多めに便器に向けて補給水を流すように設定しておくことが必要となり、この場合、必要量以上に補給水が便器に供給されてしまうことによって、水が無駄に消費されてしまうこととなる。
【００１３】
尚、本発明に関連する先行技術として下記特許文献２，特許文献３に開示されたものがある。
但しこれら特許文献に開示のものは、補給水管の側に回り込む水量を安定化するといったことのできないもので、本発明とは異なっている。
【先行技術文献】
【特許文献】
【００１４】
【特許文献１】特開２００２−１６７８３８号公報
【特許文献２】特開２０００−１６０６２５号公報
【特許文献３】実開平６−３０２７７号公報
【発明の概要】
【発明が解決しようとする課題】
【００１５】
本発明は以上のような事情を背景とし、便器に向けて補給水を供給するための補給水管の側に回り込む水量が、手洗吐水部の有無によって異なってしまう問題を解決することのできるボールタップを提供することを目的としてなされたものである。
【課題を解決するための手段】
【００１６】
而して請求項１のものは、フロートの昇降により給水弁を開閉して、洗浄タンクへの給水及び給水停止を自動的に行うボールタップにおいて、前記給水弁の下流部に、手洗水を手洗吐水部に向けて流出可能な手洗水の出口部を設けるとともに、該手洗水の出口部に、手洗水の流路の抵抗を増大させる抵抗部材として絞り弁が設けてあり、該絞り弁は、それぞれ通水用の弁開口を備えた固定弁体と可動弁体とを有していて、該固定弁体に対する該可動弁体の回転により、該固定弁体の前記弁開口と該可動弁体の前記弁開口との重なり面積を大から小へと変化させることで前記流路の抵抗を増大させるものであることを特徴とする。
【００１７】
請求項２のものは、請求項１において、前記手洗水の出口部は、上下方向に回転可能な回転部を有していて、該回転部の先端側に手洗水の流出口を有しているとともに、該回転部の一部が前記可動弁体を成していることを特徴とする。
【００１８】
請求項３のものは、請求項２において、前記回転部を回転させることによって、前記手洗吐水部に手洗水を流出させる手洗有りと、該手洗吐水部に手洗水を流出させず直接前記タンク内に流出させる手洗無しとに切り替えるものとなしてあり、該手洗無しとしたときには前記重なり面積を小とし、手洗有りとしたときには該重なり面積を大とすることを特徴とする。
【００１９】
請求項４のものは、請求項２，３の何れかにおいて、前記回転部がエルボ管から成っていることを特徴とする。
【００２０】
請求項５のものは、フロートの昇降により給水弁を開閉して、洗浄タンクへの給水及び給水停止を自動的に行うボールタップにおいて、前記給水弁の下流部に、手洗水を手洗吐水部に向けて流出可能な手洗水の出口部を設けるとともに、該手洗水の出口部に、手洗水の流路の抵抗を増大させる抵抗部材として絞り弁が設けてあり、該絞り弁は、前記手洗吐水部に手洗水を流出させる手洗有りと、該手洗吐水部に手洗水を流出させず直接前記タンク内に流出させる手洗無しとで、前記出口部からの流量が同じとなるように開口面積を切り替え可能となしたことを特徴とする。
【発明の作用・効果】
【００２１】
以上のように本発明は、ボールタップにおいて、給水弁の下流部に手洗水を手洗吐水部に向けて流出可能な手洗水の出口部を設けるとともに、その出口部に、手洗水の流路の抵抗を増大させる抵抗部材を設けたものである。
【００２２】
本発明によれば、手洗吐水部を有しない場合において、手洗水の出口部に導水管を接続しないときには、抵抗部材により手洗水の流路の抵抗を増大させることで、手洗水の出口部に導水管を接続して手洗水を手洗吐水部に導くときと流路の抵抗を同等とすることが可能となる。
その結果として、補給水管の側に回り込む水量を手洗吐水部の有無に拘らず一定の水量とすることが可能となる。
これにより補給水管を通じて便器に供給する補給水の水量を多めに設定することを不要となし得、節水を図ることができる。
【００２３】
本発明では、上記の抵抗部材として手洗水の流路の開度を絞る絞り弁を設けておく。
このようにすれば、容易に、手洗水の流路を開度が大の状態から流路を部分的に塞ぐことで流路の開度を小に切り替えることができる。
【００２４】
この場合において、絞り弁は、固定弁体と可動弁体とを有し、固定弁体に対する可動弁体の回転により、固定弁体の弁開口と可動弁体の弁開口との重なり面積を大から小へと変化させることで、流路の抵抗を増大させるものとなしておく。
この場合には可動弁体を単に回転させるだけで、簡単に流路の抵抗を増大させるようになすことができる。
【００２５】
本発明では、上記手洗水の出口部を、上下方向に回転可能な回転部を有するものとなし、そしてその回転部の先端側に手洗水の流出口を備えておくとともに、回転部の一部をもって上記の可動弁体を構成しておくことができる（請求項２）。
この請求項２によれば、手洗吐水部を有していない場合において導水管を手洗水の出口部に接続しないとき、つまり手洗水の出口部を開放ままとしておくときには、回転部を回転させて手洗水の流出口を下方向きとしておくことで、開放ままの手洗水の出口部から流出した水を円滑にタンク内に給水することができる。
【００２６】
この場合において、回転部を回転させることによって、手洗吐水部に手洗水を流出させる手洗有りと、手洗吐水部に手洗水を流出させず直接タンク内に流出させる手洗無しとに切り替えるものとなし、そして手洗無しとしたときには上記の重なり面積を小とし、手洗有りとしたときには重なり面積を大とするようになしておくことができる（請求項３）。
このようにすれば、回転部の回転により手洗有りと手洗無しとに切り替えることによって、自動的に流路の抵抗を変えることができ、ボールタップを含む洗浄タンク装置の施工性を良くすることができる。
【００２７】
これらの場合において、その回転部はエルボ管にて構成しておくことができる（請求項４）。
【図面の簡単な説明】
【００２８】
【図１】本発明の一実施形態のボールタップを洗浄タンクの内部構造とともに示した図である。
【図２】図１におけるボールタップと手洗吐水管との接続部分を示した図である。
【図３】同実施形態のボールタップを示した部分断面図である。
【図４】同実施形態のボールタップにおける手洗水の出口部と周辺部の分解斜視図である。
【図５】同実施形態のボールタップにおける手洗水の出口部の断面図である。
【図６】同実施形態のボールタップにおける絞り弁の動作説明図である。
【図７】同実施形態のボールタップを、手洗吐水管を有しないタンクに適用した場合の説明図である。
【図８】同実施形態のボールタップを、手洗吐水管を有するタンクに適用した場合の説明図である。
【図９】同実施形態のボールタップを、図８とは異なる位置に手洗吐水管を有するタンクに適用した場合の説明図である。
【図１０】従来のボールタップを洗浄タンクの内部構造とともに示した図である。
【発明を実施するための形態】
【００２９】
次に本発明の実施形態を図面に基づいて詳しく説明する。
図１において、１０は洗浄タンク（以下単にタンクとする場合がある）で、アウタタンク１２とインナタンク１４との２重タンク構造をなしている。
アウタタンク１２の上部には、その蓋を兼用した手洗鉢１６が設けられており、この手洗鉢１６に手洗吐水管（手洗吐水部）１８が、手洗鉢１６から起立する形態で設けられている。
具体的には、図２に示しているように手洗吐水管１８は、手洗鉢１６の鉢面から上側に露出した上部１８Ａと、鉢面の下側の下部１８Ｂとを有しており、その下部１８Ｂには外周面に雄ねじ部２１が設けられていて、そこにナット２３がねじ込まれることで手洗吐水管１８が手洗鉢１６に取り付けられている。
手洗鉢１６の底部には排水口２０が設けられており、手洗吐水管１８の吐水口１９から吐水された手洗水が、この排水口２０からタンク１０内部へと落下する。
【００３０】
２２は、タンク壁に回転可能に設けられた洗浄ハンドルで、この洗浄ハンドル２２から、Ｌ字状をなすレバーアーム２４がタンク１０の内方に向って延び出している。
そしてその先端部と図示を省略するタンク底部の排水弁とが、玉鎖２６にて連結されている。
排水弁は、洗浄ハンドル２２の回転操作により玉鎖２６にて引き上げられ開弁する。
そしてその開弁によって、タンク１０底部の排出口が開放され、タンク１０内に貯えられている洗浄水が、その排出口から便器に向けて勢い良く放出される。
【００３１】
２８は、タンク１０内部に配設されたボールタップで、３０はボールタップ本体であり、このボールタップ本体３０に対して給水管３２が接続されている。このボールタップ本体３０には給水弁３４が備えられている。
このボールタップ２８では、給水弁３４が開弁すると、給水管３２を通じて送られて来た水が給水弁３４の下流部のタンク内吐水口３６からタンク１０内に給水される。
【００３２】
ボールタップ２８は、タンク１０内の洗浄水による浮力によって洗浄水の水位に連動して昇降するフロート４０、及びこのフロート４０と給水弁３４とを連繋する連繋アーム４２を有している。
連繋アーム４２は、給水弁３４から下向きに延びた後略水平方向に延びるアーム部４４と、アーム部４４の先端部から下向きに立ち下がるねじ軸部４６とを有しており、そのねじ軸部４６に対して、フロート４０が高さ調節可能に取り付けられている。
尚、図１において４８はオーバーフロー管である。
【００３３】
給水弁３４は、図３に示しているように主弁座５０と、主弁座５０への着座及び離座によって水路５１を遮断及び開放する、ダイヤフラム弁から成る主弁５２と、主弁５２の図中下側に形成され、主弁５２に対して図中上向きの閉弁方向の押圧力を作用させる背圧室５４と、主弁５２を貫通して設けられ、水路５１における１次側と背圧室５４とを連通させて、１次側の水を背圧室５４に導入し、背圧室５４の圧力を増大させる導入小孔（図示省略）と、背圧室５４に連通し、背圧室５４の水を抜いて背圧室５４の圧力を減少させるパイロット孔５６と、パイロット弁座５８とを有している。
【００３４】
この給水弁３４は次のように動作する。
即ち、フロート４０が下降することによって、アーム部４４の基端部に設けられたパイロット弁６０がパイロット弁座５８から離座し、パイロット孔５６が開放されると、ここにおいて背圧室５４の圧力が減少して、主弁５２が１次側の給水圧により主弁座５０から図中下向きに離座して開弁し、水路５１を開放状態とする。
そして水路５１の開放によって、給水管３２を通じて送られて来た水が給水弁３４を通過して下流側のタンク内吐水口３６へと送られ、そこからタンク１０内に給水される。
【００３５】
一方タンク１０内への給水により洗浄水が満水状態になると、フロート４０の上昇によりパイロット弁６０がパイロット弁座５８に着座してパイロット孔５６を閉鎖する。
ここにおいて背圧室５４の圧力が上昇し、そしてその背圧室５４の圧力が水路５１における１次側の給水圧に打ち勝つに到って主弁５２が閉弁し、水路５１を遮断してタンク内吐水口３６からの吐水を停止させる。
【００３６】
図３に示しているように、ボールタップ２８はボールタップ本体３０に接続された接続管６２を有している。
上記タンク内吐水口３６は、この接続管６２に設けられている。
この接続管６２には、また、図４，図５及び図７（Ｂ）に示しているように、手洗水を手洗吐水管１８へと流出させる手洗水の出口部６４が設けられている。
ここで手洗水の出口部６４は給水弁３４の下流部に設けられている。この手洗水の出口部６４については後に詳しく説明する。
【００３７】
６６は、便器に向けて補給水を供給するための補給水管で、この補給水管６６は、接続管６２における上記の出口部６４の下流部６８と、これに接続されたチューブ７０とで構成されている。
ここで下流部６８は、先端部が下向きに直角に折れ曲っており、そこに取り付けられた接続部材７１を介してチューブ７０が下流部６８に接続されている。
この補給水管６６は、給水弁３４の開弁により補給水をオーバーフロー管４８へと流し、かかるオーバーフロー管４８を通じて補給水を便器へと供給する。
【００３８】
上記手洗水の出口部６４は、図５に示しているように接続管６２の管軸方向と直角方向に突出した固定部７２と、回転部となるエルボ管７４とを有している。
固定部７２は、その全体が雄管部とされており、一方エルボ管７４は雌管部７６と、これより直角に屈曲した屈曲部７８とを有しており、その雌管部７６が、雄管部をなす固定部７２に対して抜止クリップ８０により抜止状態に且つＯリング８２による水密シール状態で回転可能に嵌合されている。
【００３９】
ここで抜止クリップ８０は、図４に示しているように基部８４と、これから延び出した一対の円弧形状の弾性アーム８６とを有している。
この抜止クリップ８０は、エルボ管７４における雌管部７６の開口８８（図５参照）を通じて弾性アーム８６側からその内部に挿入され、そして一対の弾性アーム８６が固定部７２側の環状溝９０に弾性的に嵌め合されることで、雄管部となる固定部７２とエルボ管７４の雌管部７６とを抜止めする。
【００４０】
この実施形態において、エルボ管７４は雌管部７６が固定部７２に対して回転することにより、屈曲部７８が上下方向に回転運動する。
この屈曲部７８の先端側には、図４に示しているように手洗水の流出口９２が備えられている。
ここで屈曲部７８の先端部には接続部７９が設けられており、そこに蛇腹部１０６を有する蛇腹管から成る導水管１０８Ａの一端側が接続されるようになっている。
【００４１】
この手洗水の出口部６４には、手洗水の流路９４（図５参照）を部分的に塞ぐことによって流路９４の抵抗を増大させる、抵抗部材としての絞り弁９６が設けられている。
この実施形態において、絞り弁９６は、固定部７２の先端部にて構成された固定弁体９８と、この固定弁体９８に対して固定部７２の軸方向に対向した、エルボ管７４の側の可動弁体１００とで構成されている。
【００４２】
固定弁体９８には、図４に示しているように通水用の固定側の弁開口１０２が備えられており、また一方可動弁体１００には、通水用の可動側の弁開口１０４が備えられている。
ここで固定側の弁開口１０２は平面視形状が略長方形状をなしており、また一方可動側の弁開口１０４は平面視形状がＤ字形状をなしている。
またこれら固定側の弁開口１０２と可動側の弁開口１０４とは次のような関係とされている。
【００４３】
図４及び図６に示しているように、固定側の弁開口１０２は、固定部７２の先端面に対する図４中右側からの正面視において、中心部から左斜め上方に延びる形状をなしており、図６（Ａ）に示しているように、エルボ管７４における屈曲部７８がこれと反対方向、つまり右斜め下向きをなしているときには、固定側の弁開口１０２のほぼ半分が、可動弁体１００にて塞がれるようになっている。
【００４４】
そしてこの状態からエルボ管７４の屈曲部７８が、図６（Ｂ）に示しているように図（Ａ）の位置から角度θ１（ここではθ１＝１２０°）時計方向に回転して、屈曲部７８が図中左方向に横向き（水平方向向き）となったときには、固定側の弁開口１０２の全体が、可動側の弁開口１０４に対して重なり合った状態、つまり絞り弁９６が全開状態となり、更にこの状態から屈曲部７８が、図（Ａ）に示す位置から角度θ２（ここではθ２＝２５０°）まで時計方向に回転して、屈曲部７８が右斜め上向きとなったときにも、固定側の弁開口１０２が可動側の弁開口１０４に対して全体的に重なった状態、つまり絞り弁９６が全開状態を保つように、固定側の弁開口１０２及び可動側の弁開口１０４の形状が定められている。
【００４５】
尚この絞り弁９６では、図６（Ａ）に示す状態から図６（Ｂ）に示す状態までエルボ管７４の屈曲部７８が回転する途中、詳しくは可動側の弁開口１０４の直線部１０４Ａが、固定側の弁開口１０２の一対の側辺のうちの一方の側辺の直線部１０２Ａに合致したところで、固定側の弁開口１０２の全体が、可動側の弁体１０４に対して全体的に重なる状態となり、その後屈曲部７８の回転に伴って可動側の弁開口１０４の直線部１０４Ａが、固定側の弁開口１０２の他方の側辺の直線部１０２Ｂに合致するまで、固定側の弁開口１０２の全体が、可動側の弁開口１０４に対し重なり状態に維持される。即ち絞り弁９６が全開状態に維持される。
【００４６】
従って図６（Ｂ）に示す状態で、図４及び図８に示しているようにエルボ管７４の接続部７９に導水管１０８Ａの一端側を接続し、また他端側を図２に示しているように吐水管１８の下部１８Ｂ内に挿入して、手洗吐水管１８に接続したときには、絞り弁９６が全開状態の下で、つまり手洗水の流路９４が最大開状態の下で、手洗水が出口部６４から流出して、手洗吐水管１８へと到り、吐水口１９から手洗鉢１６に向けて吐水される。
【００４７】
また図６（Ｃ）に示す状態で、エルボ管７４の接続部７９に図９に示す蛇腹管から成る導水管１０８Ｂの一端側を接続し、また他端側を手洗吐水管１８に接続して、出口部６４から手洗水を手洗吐水管１８に導水した場合においても、絞り弁９６全開状態の下で手洗水が手洗吐水管１８に到って吐水口１９から吐水される。
【００４８】
尚、図８に示すようにして導水管１０８Ａを用いたり、図９に示すようにして導水管１０８Ｂを用いたりするのは、タンクの種類によって手洗吐水管１８の位置が異なる場合があり、そのような手洗吐水管１８の位置の相違に対応して、手洗水を円滑に手洗吐水管１８に導くためである。
【００４９】
一方タンク１０が手洗吐水管１８を有しないものである場合には、手洗水の出口部６４（具体的にはエルボ管７４）に導水管を接続することなく、出口部６４を開放ままとして、これを図６（Ａ）に示しているように斜め下向きとしておく。
このときには、給水弁３４の開弁により下流側に流れて来た水は、タンク内吐水口３６と出口部６４のエルボ管７４先端の流出口９２から下方に落下して、タンク１０へと給水される。
【００５０】
このときには、図６（Ａ）に示しているように固定側の弁開口１０２の略半分が塞がれた状態で、給水管３２からの水が絞り弁９６を経てタンク１０へと給水される。
その際、図５の手洗水の流路９４の抵抗が大となることによって、手洗吐水管１８に手洗水を導く場合と同じ流量で出口部６４からタンク１０内に給水が行われる。
固定弁体９８と可動弁体１００との形状が予めそのように定められている。
従ってこの実施形態では、手洗吐水管１８がある場合と無い場合とで、補給水管６６に回り込む水の比率は一定となり、等しい流量で補給水管６６を通じて補給水が便器へと供給される。
【００５１】
以上のような本実施形態によれば、手洗水の出口部６４に導水管１０８Ａ，１０８Ｂを接続して手洗水を手洗吐水管１８に導くときには、手洗水の流路９４を最大開度とし、また一方、手洗吐水管１８を有しない場合において、手洗水の出口部６４に導水管１０８Ａ，１０８Ｂを接続せず、出口部６４を開放ままとするときには、絞り弁９６により流路９４を部分的に塞ぐことで流路９４の開度を小に切り替え、流路９４の抵抗を増大させる。
そしてこのことによって、手洗吐水管１８のある場合と無い場合とで、出口部６４からの手洗水の流出に対する抵抗を同等とすることができ、補給水管６６の側に回り込む水量を一定水量とすることができる。
これにより、補給水管６６を通じて便器に供給する補給水の水量を多めに設定することを不要となし得、節水を図ることができる。
【００５２】
また本実施形態では流路９４の抵抗を増大させるための抵抗部材として、流路９４の開度を絞る絞り弁９６を設けてあるため簡単な操作で流路９４に抵抗を与えることができる。
【００５３】
以上本発明の実施形態を詳述したがこれはあくまで一例示である。
例えば上例では絞り弁における可動弁体を、エルボ管と一体に回転させるようにしているが、可動弁体をエルボ管とは別に構成して、可動弁体を単独で回転させるようになすことも可能であるし、また絞り弁を上記形態とは異なった形態で構成すること、またその際に回転動作によらないで手洗水の流路の開度を部分的に塞ぐようになすことも可能である等、本発明はその趣旨を逸脱しない範囲において種々変更を加えた形態で構成可能である。
【符号の説明】
【００５４】
１０  洗浄タンク
１８  手洗吐水管（手洗吐水部）
２８  ボールタップ
３４  給水弁
４０  フロート
６４  出口部
６６  補給水管
７４  エルボ管
９２  流出口
９４  流路
９６  絞り弁
９８  固定弁体
１００  可動弁体
１０２，１０４  弁開口
【図１】
0005761684.tif 000002
【図２】
0005761684.tif 000003
【図３】
0005761684.tif 000004
【図４】
0005761684.tif 000005
【図５】
0005761684.tif 000006
【図６】
0005761684.tif 000007
【図７】
0005761684.tif 000008
【図８】
0005761684.tif 000009
【図９】
0005761684.tif 000010
【図１０】
0005761684.tif 000011